(57)【要約】      （修正有）【課題】オフセット排紙を行うとともに、印刷ジョブの割り込み処理を受け付ける印刷装置において、印刷物の混在を防止し、ユーザが所望の印刷物を得ることができる印刷装置を提供する。【解決手段】印刷処理を施す印刷処理部３０と、オフセット排紙を行う排紙部４０と、入力された印刷ジョブに基づいて、印刷処理部およびオフセット排紙部を制御する制御部６０とを備え、制御部６０が、第１の印刷ジョブに基づいて、印刷処理およびオフセット排紙を行っている途中において、第２の印刷ジョブの割り込み処理の入力を受け付けた際、第２の印刷ジョブが奇数部数である場合には、第１の印刷ジョブの単位セットの印刷途中において第２の印刷ジョブの印刷処理を開始し、第２の印刷ジョブが偶数部数である場合には、第１の印刷ジョブの単位セットと単位セットの間の区切り期間において第２の印刷ジョブの印刷処理を開始する。【選択図】図１
2020104284.tif 000002
【特許請求の範囲】
【請求項１】
印刷媒体に対して印刷処理を施す印刷処理部と、
前記印刷処理部によって印刷処理の施された印刷物を、単位セット毎に位置をずらしながら排紙するオフセット排紙を行うオフセット排紙部と、
入力された印刷ジョブに基づいて、前記印刷処理部および前記オフセット排紙部を制御する制御部とを備え、
前記制御部が、第１の印刷ジョブに基づいて、前記印刷処理および前記オフセット排紙を行っている途中において、第２の印刷ジョブの割り込み処理の入力を受け付けた際、
前記第２の印刷ジョブが奇数部数である場合には、前記第１の印刷ジョブの単位セットの印刷途中において前記第２の印刷ジョブの印刷処理を開始し、
前記第２の印刷ジョブが偶数部数である場合には、前記第１の印刷ジョブの単位セットと単位セットの間の区切り期間において前記第２の印刷ジョブの印刷処理を開始する印刷装置。
【請求項２】
印刷媒体に対して印刷処理を施す印刷処理部と、
前記印刷処理部によって印刷処理の施された印刷物を、単位セット毎に位置をずらしながら排紙するオフセット排紙を行うオフセット排紙部と、
入力された印刷ジョブに基づいて、前記印刷処理部および前記オフセット排紙部を制御する制御部とを備え、
前記制御部が、第１の印刷ジョブの前記印刷処理および前記オフセット排紙を行っている途中において、第２の印刷ジョブの割り込み処理の入力を受け付けた際、
前記第２の印刷ジョブが奇数部数であって、前記第１の印刷ジョブの単位セットの印刷途中において前記第２の印刷ジョブの印刷処理を開始した場合には、前記第２の印刷ジョブの印刷処理およびオフセット排紙を行った後、そのまま継続して前記第１の印刷ジョブの残りの印刷処理およびオフセット排紙を行い、
前記第２の印刷ジョブが偶数部数であって、前記第１の印刷ジョブの単位セットの印刷途中において前記第２の印刷ジョブの印刷処理を開始した場合には、第２の印刷ジョブの印刷処理およびオフセット排紙を終了した後、前記第１の印刷ジョブの印刷処理を一旦停止し、前記第２の印刷ジョブの印刷物が取り除かれた後、前記第１の印刷ジョブの残りの印刷処理およびオフセット排紙を行い、
前記第２の印刷ジョブが奇数部数であって、前記第１の印刷ジョブの単位セットと単位セットの間の区切り期間において前記第２の印刷ジョブの印刷処理を開始した場合には、第２の印刷ジョブの印刷処理およびオフセット排紙を終了した後、前記第１の印刷ジョブの印刷処理を一旦停止し、前記第２の印刷ジョブの印刷物が取り除かれた後、前記第１の印刷ジョブの残りの印刷処理およびオフセット排紙を行い、
前記第２の印刷ジョブが偶数部数であって、前記第１の印刷ジョブの単位セットと単位セットの間の区切り期間において前記第２の印刷ジョブの印刷処理を開始した場合には、前記第２の印刷ジョブの印刷処理およびオフセット排紙を行った後、そのまま継続して前記第１の印刷ジョブの残りの印刷処理およびオフセット排紙を行う印刷装置。
【請求項３】
印刷媒体に対して印刷処理を施す印刷処理部と、
前記印刷処理部によって印刷処理の施された印刷物を、単位セット毎に位置をずらしながら排紙するオフセット排紙を行うオフセット排紙部と、
入力された印刷ジョブに基づいて、前記印刷処理部および前記オフセット排紙部を制御する制御部とを備え、
前記制御部が、第１の印刷ジョブの前記印刷処理および前記オフセット排紙を行っている途中において第２の印刷ジョブの割り込み処理の入力を受け付けた際、
前記第１の印刷ジョブの単位セットと単位セットの間の区切り期間において前記第２の印刷ジョブの割り込み処理の入力を受け付けた場合には、前記単位セットと単位セットの間の区切り期間において前記第２の印刷ジョブの印刷処理を開始せず、前記第２の印刷ジョブの割り込み処理の入力を受け付けた後の前記第１の印刷ジョブの単位セットの印刷途中において、前記第２の印刷ジョブの印刷処理を開始する印刷装置。
【発明の詳細な説明】
【技術分野】
【０００１】
本発明は、印刷ジョブに基づいて印刷媒体に対して印刷処理を施し、オフセット排紙を行うとともに、他の印刷ジョブの割り込み処理を受け付ける印刷装置に関する。
【背景技術】
【０００２】
従来、コンピュータから出力された印刷ジョブの入力を受け付け、その印刷ジョブに基づいて、印刷媒体に対して印刷処理を施す印刷装置が提案されている。
【０００３】
このような印刷装置においては、たとえば所定のユーザのコンピュータから出力された印刷ジョブに基づいて印刷処理が行われている場合でも、他のユーザの印刷処理を優先したい場合を想定して、他のユーザのコンピュータから出力された印刷ジョブの割り込み処理を受け付け、所定のユーザの印刷ジョブの印刷処理の途中で、他のユーザの印刷ジョブの印刷処理を行う印刷装置が提案されている。
【０００４】
たとえば特許文献１には、部毎に排紙位置をずらしながらオフセット排紙を行う印刷装置において、所定の部の印刷途中に割り込み処理の印刷ジョブを受け付けた場合には、その所定の部の最終ページまで印刷した後に、割り込み処理の印刷ジョブの印刷処理を行い、割り込み処理の印刷ジョブの印刷処理が終了した後に、先の印刷ジョブの残りの部の印刷処理を再開する方法が提案されている。
【先行技術文献】
【特許文献】
【０００５】
【特許文献１】特開２００８−５９０７３号公報
【発明の概要】
【発明が解決しようとする課題】
【０００６】
しかしながら、特許文献１のような割り込み処理を行った場合、ユーザが望む印刷物が得られない場合がある。具体的には、たとえば割り込み処理として受け付けた印刷ジョブが奇数部数のオフセット排紙を行う印刷ジョブである場合に、特許文献１のように部と部の間の区切り期間で割り込み処理を行った場合、先の印刷ジョブの印刷物から割り込み処理の印刷ジョブの印刷物を取り除いた際に、先の印刷ジョブの２つの部が混在する問題が発生する。図５Ｂは、先の印刷ジョブの１部目Ｓ１と２部目Ｓ２との間の区切り期間において、割り込み処理の印刷ジョブＳｉｎの印刷処理を開始した場合の印刷結果である。図５Ｂに示すように、割り込み処理の印刷ジョブＳｉｎの印刷物を取り除いた際、先の印刷ジョブの１部目Ｓ１と２部目Ｓ２とが混在する。
【０００７】
本発明は、上記事情に鑑み、オフセット排紙を行うとともに、印刷ジョブの割り込み処理を受け付ける印刷装置において、印刷物の混在を防止し、ユーザが所望の印刷物を得ることができる印刷装置を提供することを目的とするものである。
【課題を解決するための手段】
【０００８】
本発明の第１の印刷装置は、印刷媒体に対して印刷処理を施す印刷処理部と、印刷処理部によって印刷処理の施された印刷物を、単位セット毎に位置をずらしながら排紙するオフセット排紙を行うオフセット排紙部と、入力された印刷ジョブに基づいて、印刷処理部およびオフセット排紙部を制御する制御部とを備え、制御部が、第１の印刷ジョブに基づいて、印刷処理およびオフセット排紙を行っている途中において、第２の印刷ジョブの割り込み処理の入力を受け付けた際、第２の印刷ジョブが奇数部数である場合には、第１の印刷ジョブの単位セットの印刷途中において第２の印刷ジョブの印刷処理を開始し、第２の印刷ジョブが偶数部数である場合には、第１の印刷ジョブの単位セットと単位セットの間の区切り期間において第２の印刷ジョブの印刷処理を開始する。
【発明の効果】
【０００９】
本発明の第１の印刷装置によれば、第１の印刷ジョブに基づいて、印刷処理およびオフセット排紙を行っている途中において、第２の印刷ジョブの割り込み処理の入力を受け付けた際、第２の印刷ジョブが奇数部数である場合には、第１の印刷ジョブの単位セットの印刷途中において第２の印刷ジョブの印刷処理を開始し、第２の印刷ジョブが偶数部数である場合には、第１の印刷ジョブの単位セットと単位セットの間の区切り期間において第２の印刷ジョブの印刷処理を開始するようにしたので、印刷物の混在を防止し、ユーザが所望の印刷物を得ることができる。
【図面の簡単な説明】
【００１０】
【図１】本発明の印刷装置の一実施形態を用いたインクジェット印刷装置の概略構成を示す図
【図２】第１の印刷物Ｐ１、第２の印刷物Ｐ２および第３の印刷物Ｐ３がオフセット排紙された状態を示す図
【図３】図１に示すインクジェット印刷装置の制御系の概略構成を示すブロック図
【図４】第１の実施形態の割り込み処理方法を説明するためのフローチャート
【図５】第１の実施形態の割り込み処理方法を実施した場合の印刷結果の一例を示す図（Ａ）と、割り込み処理の印刷ジョブＳｉｎが奇数部数の場合に、１部目と２部目の間の区切り期間において、割り込み処理の印刷ジョブＳｉｎの印刷処理を開始した場合の印刷結果の一例を示す図（Ｂ）
【図６】第１の実施形態の割り込み処理方法を実施した場合の印刷結果の一例を示す図（Ａ）と、割り込み処理の印刷ジョブＳｉｎが偶数部数の場合に、１部目の印刷途中において、割り込み処理の印刷ジョブＳｉｎの印刷処理を開始した場合の印刷結果の一例を示す図（Ｂ）
【図７】第２の実施形態の割り込み処理方法を説明するためのフローチャート
【図８】割り込み処理の印刷ジョブＳｉｎが偶数部数の場合に、第２の実施形態の割り込み処理方法を実施した場合の印刷結果の一例を示す図
【図９】割り込み処理の印刷ジョブＳｉｎが奇数部数の場合に、第２の実施形態の割り込み処理方法を実施した場合の印刷結果の一例を示す図
【図１０】第３の実施形態の割り込み処理方法を説明するためのフローチャート
【図１１】第３の実施形態の割り込み処理方法を実施した場合の印刷結果の一例を示す図（Ａ）と、１部目と２部目の間の区切り期間において、割り込み処理の印刷ジョブＳｉｎの印刷処理を開始した場合の印刷結果の一例を示す図（Ｂ）
【発明を実施するための形態】
【００１１】
以下、図面を参照して本発明の印刷装置の第１の実施形態を用いたインクジェット印刷装置について詳細に説明する。本実施形態のインクジェット印刷装置は、オフセット排紙を行っている途中において割り込み処理を行う方法に特徴を有するものであるが、まずは、その全体構成について説明する。図１は、本実施形態のインクジェット印刷装置の概略構成を示す図である。なお、図１に示す上下左右方向が、本実施形態のインクジェット印刷装置の上下左右方向である。
【００１２】
本実施形態のインクジェット印刷装置１は、図１に示すように、サイド給紙部１０と、内部給紙部２０と、印刷処理部３０と、排紙部４０と、反転部５０と、制御部６０と、表示部８０とを備えている。本実施形態においては、排紙部４０が、本発明のオフセット排紙部に相当する。
【００１３】
印刷処理部３０、内部給紙部２０および制御部６０は、金属または樹脂などから形成された筐体１００内に収容されて設置されている。また、サイド給紙部１０、排紙部４０および反転部５０は、筐体１００内に一部が収容され、筐体１００外に一部が突出する状態で設置されている。
【００１４】
サイド給紙部１０は、印刷用紙Ｐが載置される給紙台１１と、給紙台１１から最上位置の印刷用紙Ｐのみを繰り出して給紙搬送路ＦＲ上へ搬送させる１次給紙部１２と、１次給紙部１２によって搬送された印刷用紙Ｐを循環搬送路ＣＲ上へ搬送する２次給紙部１４とを備えている。  
【００１５】
内部給紙部２０は、印刷用紙Ｐが載置される給紙台２１ａと、給紙台２１ａから最上位置の印刷用紙Ｐのみを繰り出して給紙搬送路ＦＲ上へ搬送させる１次給紙部２２ａと、印刷用紙Ｐが載置される給紙台２１ｂと、給紙台２１ｂから最上位置の印刷用紙Ｐのみを繰り出して給紙搬送路ＦＲ上へ搬送させる１次給紙部２２ｂと、印刷用紙Ｐが載置される給紙台２１ｃと、給紙台２１ｃから最上位置の印刷用紙Ｐのみを繰り出して給紙搬送路ＦＲ上へ搬送させる１次給紙部２２ｃと、印刷用紙Ｐが載置される給紙台２１ｄと、給紙台２１ｄから最上位置の印刷用紙Ｐのみを繰り出して給紙搬送路ＦＲ上へ搬送させる１次給紙部２２ｄとを備えている。  
【００１６】
このように２次給紙部１４には、サイド給紙部１０または内部給紙部２０から印刷用紙Ｐが搬送されるとともに、さらに後述する反転部５０からも印刷用紙Ｐが搬送される。  
【００１７】
そのため搬送方向における２次給紙部１４の手前には、内部給紙部２０から給紙された印刷用紙Ｐの搬送経路と、反転部５０から搬送された一方の面が印刷された印刷用紙Ｐの搬送経路とが合流する合流地点が存在する。この合流地点を基準に、給紙機構側の経路を給紙搬送路ＦＲと呼び、それ以外の経路を循環搬送路ＣＲと呼ぶ。  
【００１８】
印刷処理部３０は、複数のインクジェットヘッドが設けられた４つのヘッドユニット３１と、ヘッドユニット３１に対向して設けられた環状の搬送ベルト１３３とを備えている。２次給紙部１４により給紙された印刷用紙Ｐは、搬送ベルト１３３によって所定の搬送速度で搬送されながら、４つのヘッドユニット３１から吐出されたインクによって印刷処理が施される。  
【００１９】
４つのヘッドユニット３１は、それぞれ異なる色のインクを吐出し、本実施形態においては、ブラック（Ｋ）、シアン（Ｃ）、マゼンダ（Ｍ）、イエロー（Ｙ）の各色のインクを吐出する。  
【００２０】
印刷処理部３０により印刷された印刷用紙Ｐは、循環搬送路ＣＲ上に配置された搬送ローラ等によって循環搬送路ＣＲ上を搬送される。循環搬送路ＣＲ上には、循環搬送路ＣＲ上を搬送された印刷用紙Ｐを排紙部４０へ案内するか、または循環搬送路ＣＲ上を再循環させるかを切り替える切り替え機構４９が備えられている。切り替え機構４９は、具体的には、排紙部４０側の搬送経路と反転部５０側の搬送経路とを切り替える。  
【００２１】
排紙部４０は、インクジェット印刷装置１の筐体１００から突出したトレイ形状をした排紙台４５と、排紙台４５に印刷用紙Ｐを排紙する一対の排紙ローラ４８とを有する。そして、切り替え機構４９により排紙部４０側の搬送経路に案内された印刷用紙Ｐは、排紙ローラ４８により排紙台４５に排紙される。  
【００２２】
また、排紙部４０は、印刷処理部３０によって印刷処理の施された複数部数の印刷物を、単位セット毎に位置をずらしながら排紙するオフセット排紙を行う機構を有する。オフセット排紙を行う機構としては、所定のアクチュエータを備えた公知の機構を用いることができる。  
【００２３】
本実施形態の排紙部４０は、単位セットの印刷物を、予め設定された距離だけ前後方向にずらしながらオフセット排紙を行う。具体的には、排紙部４０は、単位セットの第１の印刷物を第１の位置に排紙した後、次の単位セットの第２の印刷物を予め設定された距離だけ前方向にずらして第２の位置に排紙する。次いで、排紙部４０は、次の単位セットの第３の印刷物を上記距離だけ後ろ方向にずらして、再び第１の位置に排紙する。すなわち、本実施形態の排紙部４０は、前後方向に上記距離だけずれた第１の位置と第２の位置とに単位セットの印刷物を交互に排紙する。図２は、排紙部４０が、第１の印刷物Ｐ１、第２の印刷物Ｐ２および第３の印刷物Ｐ３をオフセット排紙した状態を示す図である。  
【００２４】
なお、単位セットとは、たとえば同じ原稿データが印刷された印刷物を複数部数得る場合における各部や予め設定された複数のジョブ単位の印刷物を得る場合における各ジョブ単位など、ユーザによって予め区切られた印刷物の単位のことをいう。また、本実施形態でいう印刷ジョブは、上述した単位セットの印刷物を複数得るための原稿データや印刷条件を含むものである。  
【００２５】
反転部５０は、印刷用紙Ｐを反転させる反転台５１と、循環搬送路ＣＲから反転台５１へ印刷用紙Ｐを搬送するとともに、その反転台５１に搬送された印刷用紙Ｐを循環搬送路ＣＲ上へ再び戻す反転ローラ５２とを備えている。  
【００２６】
切り替え機構４９により反転部５０に案内された印刷用紙Ｐは、反転ローラ５２により循環搬送路ＣＲから反転台５１に搬送され、反転台５１から循環搬送路ＣＲへ再び戻されることによって、表裏が反転した状態で循環搬送路ＣＲ上を搬送される。そして、表裏が反転された印刷用紙Ｐは、循環搬送路ＣＲ上に設けられた搬送ローラ５３等の複数のローラによって印刷処理部３０へ向かって再び搬送される。
【００２７】
表示部８０は、液晶ディスプレイを有するタッチパネルから構成されるものであり、種々の設定入力画面を表示し、印刷開始の指示入力などの種々の設定入力を受け付ける。
【００２８】
図３は、本実施形態のインクジェット印刷装置１の制御系の概略構成を示すブロック図である。
【００２９】
制御部６０は、インクジェット印刷装置１全体を制御するものであり、ＣＰＵ（Central Processing Unit）、半導体メモリおよびハードディスクなどを備えている。制御部６０は、半導体メモリまたはハードディスクなどの記憶媒体に予め記憶されたプログラムを実行し、かつ電気回路を動作させることによって、インクジェット印刷装置１の各部の動作を制御するものである。
【００３０】
特に、本実施形態の制御部６０は、印刷ジョブ出力装置２の制御部９０と通信を行い、制御部９０から出力された印刷ジョブを受け付ける。
【００３１】
また、制御部６０は、所定の印刷ジョブ（本発明の第１の印刷ジョブに相当する）の印刷処理およびオフセット排紙の途中において、その他の印刷ジョブ（本発明の第２の印刷ジョブに相当する）の印刷処理の割り込み処理を受け付ける。そして、制御部６０は、割り込み処理によって受け付けたその他の印刷ジョブの単位セットの数が偶数であるか奇数であるかに基づいて、その他の印刷ジョブの印刷処理の開始タイミングを変更する。なお、割り込み処理の印刷ジョブの印刷処理開始タイミングの制御方法については、後で詳述する。また、割り込み処理の印刷ジョブは、図３に示す印刷ジョブ出力装置２から出力されたものでもよいし、他の印刷ジョブ出力装置から出力されたものでもよい。
【００３２】
図３に示す印刷ジョブ出力装置２は、コンピュータから構成されるものである。印刷ジョブ出力装置２には、原稿データを作成する文書作成アプリケーションおよびその原稿データを含む印刷ジョブを生成するプリンタドライバがインストールされている。印刷ジョブ出力装置２は、文書作成アプリケーションによって作成された原稿データと、プリンタドライバ上に設定された印刷部数などの印刷条件に基づいて、印刷ジョブを生成し、インクジェット印刷装置１に出力する。
【００３３】
次に、第１の実施形態のインクジェット印刷装置１において、第１の印刷ジョブに基づいて、印刷処理およびオフセット排紙を行っている途中において、第２の印刷ジョブの割り込み処理を行う場合について、図４に示すフローチャートを参照しながら説明する。
【００３４】
まず、インクジェット印刷装置１の制御部６０において第１の印刷ジョブが受け付けられ、制御部６０は、第１の印刷ジョブの印刷処理およびオフセット排紙を開始する（Ｓ１０）。
【００３５】
そして、制御部６０は、第１の印刷ジョブの印刷処理の途中において、第２の印刷ジョブの割り込み処理の入力を受け付けた場合には（Ｓ１２）、第２の印刷ジョブが奇数部数の印刷ジョブであるのか、偶数部数の印刷ジョブであるのかを確認する（Ｓ１４）。
【００３６】
制御部６０は、第２の印刷ジョブが奇数部数である場合（Ｓ１４,奇数部数）、第１の印刷ジョブの現時点の進行状況が、所定の部の印刷途中であるのか、部と部の間の区切り期間であるかを確認する（Ｓ１６）。
【００３７】
そして、制御部６０は、第１の印刷ジョブの現時点の進行状況が、所定の部の印刷途中である場合には（Ｓ１６,印刷途中）、第１の印刷ジョブの印刷処理を一旦停止し（Ｓ１８）、その時点から第２の印刷ジョブの印刷処理を開始する（Ｓ２０）。
【００３８】
そして、制御部６０は、第２の印刷ジョブの印刷処理およびオフセット排紙が終了した後（Ｓ２２）、第１の印刷ジョブの残りの印刷処理およびオフセット排紙を再開する（Ｓ２４）。
【００３９】
一方、制御部６０は、第１の印刷ジョブの現時点の進行状況が、部と部の間の区切り期間である場合には（Ｓ１６,区切り期間）、第２の印刷ジョブの印刷処理の開始は一旦保留とし、第１の印刷ジョブの次の部の印刷処理を開始する。そして、制御部６０は、第１の印刷ジョブの次の部について、予め設定されたページ数だけ印刷した後（Ｓ２６）、第２に印刷ジョブの印刷処理を開始する（Ｓ２０）。なお、上記予め設定されたページ数は、上記次の部の印刷枚数よりも少ない枚数であり、たとえば１ページ〜２ページ程度を予め設定するようにしてもよいし、次の部の全印刷枚数から算出するようにしてもよい。次の部の全印刷枚数から算出する場合には、たとえば次の部の全印刷枚数の１０％〜３０％程度の印刷枚数とすればよい。
【００４０】
そして、制御部６０は、第２の印刷ジョブの印刷処理およびオフセット排紙が終了した後（Ｓ２２）、第１の印刷ジョブの残りの印刷処理およびオフセット排紙を再開する（Ｓ２４）。
【００４１】
また、制御部６０は、Ｓ１４において、第２の印刷ジョブが偶数部数である場合（Ｓ１４,偶数部数）、第１の印刷ジョブの現時点の進行状況が、所定の部の印刷途中であるのか、部と部の間の区切り期間であるかを確認する（Ｓ２８）。
【００４２】
そして、制御部６０は、第１の印刷ジョブの現時点の進行状況が、所定の部の印刷途中である場合には（Ｓ２８,印刷途中）、その印刷途中の部の印刷処理を終了した後（Ｓ３０）、第２の印刷ジョブの印刷処理を開始する（Ｓ２０）。すなわち、制御部６０は、部と部の区切り期間において、第１の印刷ジョブの印刷処理を開始する。
【００４３】
そして、制御部６０は、第２の印刷ジョブの印刷処理およびオフセット排紙が終了した後（Ｓ２２）、第１の印刷ジョブの残りの印刷処理およびオフセット排紙を再開する（Ｓ４）。
【００４４】
一方、制御部６０は、第１の印刷ジョブの現時点の進行状況が、部と部の間の区切り期間である場合には（Ｓ２８,区切り期間）、第１の印刷ジョブの印刷処理を一旦停止し（Ｓ３２）、その時点から第２の印刷ジョブの印刷処理を開始する（Ｓ２０）。
【００４５】
そして、制御部６０は、第２の印刷ジョブの印刷処理およびオフセット排紙が終了した後（Ｓ２２）、第１の印刷ジョブの残りの印刷処理およびオフセット排紙を再開する（Ｓ２４）。
【００４６】
本実施形態のインクジェット印刷装置１によれば、割り込み処理である第２の印刷ジョブが奇数部数である場合には、第１の印刷ジョブの部の印刷途中において第２の印刷ジョブの印刷処理を開始し、第２の印刷ジョブが偶数部数である場合には、第１の印刷ジョブの部と部の間の区切り期間において第２の印刷ジョブの印刷処理を開始するようにしたので、第２の印刷ジョブの印刷物を取り除いた際、第１の印刷ジョブの２つの部が混在を防止することができる。
【００４７】
図５Ａは、第１の印刷ジョブがＳ１（Ｓ１_１とＳ１_２からなる）〜Ｓ３の３部であり、割り込み処理である第２の印刷ジョブＳｉｎが３部の場合における印刷結果の状態を示す図である。第２の印刷ジョブＳｉｎが奇数部数であるので、第１の印刷ジョブの１部目の印刷途中（Ｓ１_１まで印刷した時点）において、第２の印刷ジョブＳｉｎの印刷処理が開始されている。これにより、第２の印刷ジョブＳｉｎの印刷物を取り除いた際、第１の印刷ジョブの１部目Ｓ１と２部目Ｓ２とが混在するのを防止することができる。また、この場合、第１の印刷ジョブの１部目の印刷途中で第２の印刷ジョブの印刷処理を開始するので、第１の印刷ジョブの１部目と２部目の間の区切り期間で第２の印刷ジョブの印刷処理を開始する場合と比較すると生産性を向上させることができる。
【００４８】
なお、図５Ｂは、第１の印刷ジョブの１部目Ｓ１と２部目Ｓ２との間の区切り期間において、第２の印刷ジョブＳｉｎの印刷処理を開始した場合の印刷結果である。図５Ｂの場合、第２の印刷ジョブＳｉｎの印刷物を取り除いた際、第１の印刷ジョブの１部目Ｓ１と２部目Ｓ２とが混在する。
【００４９】
図６Ａは、第１の印刷ジョブがＳ１（Ｓ１_１とＳ１_２からなる）〜Ｓ３の３部であり、割り込み処理である第２の印刷ジョブＳｉｎが２部の場合における印刷結果の状態を示す図である。第２の印刷ジョブＳｉｎが偶数部数であるので、第１の印刷ジョブの１部目Ｓ１と２部目Ｓ２との間の区切り期間において、第２の印刷ジョブＳｉｎの印刷処理が開始されている。これにより、第２の印刷ジョブＳｉｎの印刷物を取り除いた際、第１の印刷ジョブの１部目Ｓ１と２部目Ｓ２とが混在するのを防止することができる。なお、図６Ｂは、第１の印刷ジョブの１部目の印刷途中（Ｓ１_１まで印刷した時点）において、第２の印刷ジョブＳｉｎの印刷処理を開始した場合の印刷結果である。図６Ｂの場合、第２の印刷ジョブＳｉｎの印刷物を取り除いた際、第１の印刷ジョブの１部目Ｓ１の途中の余計な箇所にオフセットが入ってしまい、ユーザが所望の印刷物を得ることができない。
【００５０】
ここで、上記第１の実施形態においては、制御部６０が、第２の印刷ジョブの割り込み処理を受け付け、第２の印刷ジョブが奇数部数であるのか、偶数部数であるのかを判定してから第２の印刷ジョブの印刷処理を開始するようにしたが、たとえば制御部６０が第２の印刷ジョブの全てを受信しなければ第２の印刷ジョブの部数が分からない場合には、第２の印刷ジョブの印刷処理の開始タイミングが遅れてしまう場合が生じる。
【００５１】
そこで、次に、割り込み処理である第２の印刷ジョブを完全に受信する前に、第２の印刷ジョブの印刷を開始する第２の実施形態の割り込み処理方法について、図７に示すフローチャートを参照しながら説明する。
【００５２】
まず、制御部６０において第１の印刷ジョブが受け付けられ、制御部６０は、第１の印刷ジョブの印刷処理およびオフセット排紙を開始する（Ｓ４０）。
【００５３】
そして、制御部６０は、第１の印刷ジョブの印刷処理の途中において、第２の印刷ジョブの割り込み処理の入力を受け付けた場合には（Ｓ４２）、その時点から第２の印刷
ジョブの印刷処理を開始する（Ｓ４４）。
【００５４】
次いで、制御部６０は、第２の印刷ジョブの印刷処理およびオフセット排紙が終了した後（Ｓ４６）、第２の印刷ジョブが、奇数部数であるか、偶数部数であるかを確認する（Ｓ４８）。
【００５５】
制御部６０は、第２の印刷ジョブが奇数部数である場合（Ｓ４８,奇数部数）、第２の印刷ジョブの印刷処理を開始した時点が、第１の印刷ジョブの所定の部の印刷途中であるのか、部と部の間の区切り期間であるかを確認する（Ｓ５０）。
【００５６】
そして、制御部６０は、第２の印刷ジョブの印刷処理を開始した時点が、第１の印刷ジョブの所定の部の印刷途中である場合には（Ｓ５０,印刷途中）、その時点から第１の印刷ジョブの残りの印刷処理およびオフセット排紙を再開する（Ｓ５２）。
【００５７】
一方、制御部６０は、第２の印刷ジョブの印刷処理を開始した時点が、部と部の間の区切り期間である場合には（Ｓ５０,区切り期間）、第１の印刷ジョブの印刷処理を一旦停止し（Ｓ５４）、ユーザに対して、第２の印刷ジョブの印刷物を取り除くように報知する（Ｓ５６）。具体的には、制御部６０は、第２の印刷ジョブの印刷物を取り除くように表示部８０にメッセージを表示する。
【００５８】
そして、制御部６０は、ユーザによって第２の印刷ジョブの印刷物が取り除かれた後、第１の印刷ジョブの残りの印刷処理およびオフセット排紙を再開する（Ｓ５２）。なお、ユーザによって第２の印刷ジョブの印刷物が取り除かれたことについては、たとえばユーザが、第２の印刷ジョブの印刷物を取り除いた後、表示部８０において印刷再開を指示することによって制御部６０により認識される。また、第１の印刷ジョブの残りの印刷処理およびオフセット排紙を再開した際には、次の部のオフセット動作はスキップするものとする。
【００５９】
また、制御部６０は、Ｓ４８において、第２の印刷ジョブが偶数部数である場合（Ｓ４８,偶数部数）、第２の印刷ジョブの印刷処理を開始した時点が、第１の印刷ジョブの所定の部の印刷途中であるのか、部と部の間の区切り期間であるかを確認する（Ｓ５８）。
【００６０】
そして、制御部６０は、第２の印刷ジョブの印刷処理を開始した時点が、第１の印刷ジョブの所定の部の印刷途中である場合には（Ｓ５８,印刷途中）、第１の印刷ジョブの印刷処理を一旦停止し（Ｓ６０）、ユーザに対して、第２の印刷ジョブの印刷物を取り除くように報知する（Ｓ６２）。具体的には、制御部６０は、第２の印刷ジョブの印刷物を取り除くように表示部８０にメッセージを表示する。
【００６１】
そして、制御部６０は、ユーザによって第２の印刷ジョブの印刷物が取り除かれた後、第１の印刷ジョブの残りの印刷処理およびオフセット排紙を再開する（Ｓ５２）。なお、第１の印刷ジョブの残りの印刷処理およびオフセット排紙を再開した際には、次の部のオフセット動作はスキップするものとする。
【００６２】
一方、制御部６０は、第２の印刷ジョブの印刷処理を開始した時点が、部と部の間の区切り期間である場合には（Ｓ５８,区切り期間）、その時点から第１の印刷ジョブの残りの印刷処理およびオフセット排紙を再開する（Ｓ５２）。
【００６３】
第２の実施形態の割り込み処理方法によれば、第２の印刷ジョブが奇数部数であって、第１の印刷ジョブの部の印刷途中において第２の印刷ジョブの印刷処理を開始した場合には、第２の印刷ジョブの印刷処理およびオフセット排紙を行った後、そのまま継続して第１の印刷ジョブの残りの印刷処理およびオフセット排紙を行うようにしたので、第２の印刷ジョブの印刷物を取り除いた際、第１の印刷ジョブの２つの部の混在を防止することができる。なお、この場合の印刷結果は、図５Ａに示す印刷結果と同様である。
【００６４】
また、第２の実施形態の割り込み処理方法によれば、第２の印刷ジョブが偶数部数であって、第１の印刷ジョブの部の印刷途中において第２の印刷ジョブの印刷処理を開始した場合には、第２の印刷ジョブの印刷処理およびオフセット排紙を終了した後、第１の印刷ジョブの印刷処理を一旦停止し、第２の印刷ジョブの印刷物が取り除かれた後、第１の印刷ジョブの残りの印刷処理およびオフセット排紙を行うようにしたので、図６Ｂに示すように、第１の印刷ジョブの１部目の途中にオフセットが入ってしまうのを防止することができる。
【００６５】
図８Ａは、第２の印刷ジョブが２部であって、第１の印刷ジョブの１部目の印刷途中（Ｓ１_１まで印刷した時点）において第２の印刷ジョブの印刷処理を開始した場合の印刷結果を示している。この場合、第２の印刷ジョブＳｉｎが取り除かれた後、第１の印刷ジョブの残りの印刷処理およびオフセット排紙を行うようにしたので、第１の印刷ジョブの１部目の途中にオフセットが入ってしまうのを防止し、かつ図８Ｂに示すように、ユーザが所望の印刷物を得ることができる。なお、この場合、上述したように第１の印刷ジョブの印刷処理を再開した際、オフセット動作はスキップしている。
【００６６】
また、第２の実施形態の割り込み処理方法によれば、第２の印刷ジョブが奇数部数であって、第１の印刷ジョブの部と部の間の区切り期間において第２の印刷ジョブの印刷処理を開始した場合には、第２の印刷ジョブの印刷処理およびオフセット排紙を終了した後、第１の印刷ジョブの印刷処理を一旦停止し、第２の印刷ジョブの印刷物が取り除かれた後、第１の印刷ジョブの残りの印刷処理およびオフセット排紙を行うようにしたので、第１の印刷ジョブの２つの部が混在するのを防止することができる。
【００６７】
図９Ａは、第２の印刷ジョブが３部であって、第１の印刷ジョブの１部目と２部目の区切り期間において第２の印刷ジョブの印刷処理を開始した場合を示している。この場合、第２の印刷ジョブＳｉｎが取り除かれた後、第１の印刷ジョブの残りの印刷処理およびオフセット排紙を行うようにしたので、図９Ｂに示すように、ユーザが所望の印刷物を得ることができる。すなわち、図５Ｂに示すように、第２の印刷ジョブＳｉｎを取り除いた際、第１の印刷ジョブの１部目Ｓ１と２部目Ｓ２とが混在するのを防止することができる。なお、この場合、上述したように第１の印刷ジョブの印刷処理を再開した際、オフセット動作はスキップしている。
【００６８】
また、第２の実施形態の割り込み処理方法によれば、第２の印刷ジョブが偶数部数であって、第１の印刷ジョブの部と部の間の区切り期間において第２の印刷ジョブの印刷処理を開始した場合には、第２の印刷ジョブの印刷処理およびオフセット排紙を行った後、そのまま継続して第１の印刷ジョブの残りの印刷処理およびオフセット排紙を行うようにしたので、ユーザが所望の印刷物を得ることができる。なお、この場合の印刷結果は、図６Ａに示す印刷結果と同様である。
【００６９】
なお、上記第１の実施形態および第２の実施形態においては、第１の印刷ジョブと第２の印刷ジョブの両方が、オフセット排紙を行う場合について説明したが、次に、第２の印刷ジョブがオフセット排紙ではない場合の第１の印刷ジョブのオフセット排紙方法（第３の実施形態の割り込み処理方法）について、図１０のフローチャートを参照しながら説明する。
【００７０】
まず、制御部６０において第１の印刷ジョブが受け付けられ、制御部６０は、第１の印刷ジョブの印刷処理およびオフセット排紙を開始する（Ｓ７０）。
【００７１】
そして、制御部６０は、第２の印刷ジョブの割り込み処理の入力を受け付けた場合には（Ｓ７２）、第１の印刷ジョブの現時点の進行状況が、所定の部の印刷途中であるのか、部と部の間の区切り期間であるかを確認する（Ｓ７４）。
【００７２】
そして、制御部６０は、第１の印刷ジョブの現時点の進行状況が、所定の部の印刷途中である場合には（Ｓ７４,印刷途中）、第１の印刷ジョブの印刷処理を一旦停止し（Ｓ７６）、その時点から第２の印刷ジョブの印刷処理を開始する（Ｓ７８）。
【００７３】
そして、制御部６０は、第２の印刷ジョブの印刷処理が終了した後（Ｓ８０）、第１の印刷ジョブの残りの印刷処理およびオフセット排紙を再開する（Ｓ８２）。
【００７４】
一方、制御部６０は、第１の印刷ジョブの現時点の進行状況が、部と部の間の区切り期間である場合には（Ｓ７４,区切り期間）、第２の印刷ジョブの印刷処理の開始は一旦保留とし、第１の印刷ジョブの次の部の印刷処理を開始する（Ｓ８４）。そして、制御部６０は、第１の印刷ジョブの次の部について、予め設定されたページ数だけ印刷した後、第２に印刷ジョブの印刷処理を開始する（Ｓ７８）。なお、上記予め設定されたページ数は、上記次の部の印刷枚数よりも少ない枚数であり、たとえば１ページ〜２ページ程度を予め設定するようにしてもよいし、次の部の全印刷枚数から算出するようにしてもよい。次の部の全印刷枚数から算出する場合には、たとえば次の部の全印刷枚数の１０％〜３０％程度の印刷枚数とすればよい。
【００７５】
そして、制御部６０は、第２の印刷ジョブの印刷処理が終了した後（Ｓ８０）、第１の印刷ジョブの残りの印刷処理およびオフセット排紙を再開する（Ｓ８２）。
【００７６】
第３の実施形態の割り込み処理方法によれば、制御部６０が、第１の印刷ジョブの部と部の間の区切り期間において第２の印刷ジョブの割り込み処理の入力を受け付けた場合には、部と部の区切り期間において第２の印刷ジョブの印刷処理を開始せず、第２の印刷ジョブの割り込み処理の入力を受け付けた後の第１の印刷ジョブの単位セットの印刷途中において、第２の印刷ジョブの印刷処理を開始するようにしたので、第２の印刷ジョブの印刷物が取り除かれた際、第１の印刷ジョブの２つの部が混在するのを防止することができる。
【００７７】
図１１Ａは、制御部６０が、第１の印刷ジョブの１部目Ｓ１と２部目Ｓ２との区切り期間において第２の印刷ジョブＳｉｎの割り込み処理の入力を受け付け場合、第１の印刷ジョブの２部目Ｓ２の印刷途中（Ｓ２_１まで印刷した時点）において第２の印刷ジョブＳｉｎの印刷処理を開始した場合の印刷結果を示している。この場合、第２の印刷ジョブＳｉｎの印刷物が取り除かれた際、第１の印刷ジョブの１部目Ｓ１と２部目Ｓ２が混在するのを防止することができる。なお、図１１Ｂは、制御部６０が、第１の印刷ジョブの１部目Ｓ１と２部目Ｓ２との区切り期間において第２の印刷ジョブＳｉｎの印刷処理を開始した場合の印刷結果を示している。この場合、第２の印刷ジョブＳｉｎの印刷物が取り除かれた際、第１の印刷ジョブの１部目Ｓ１と２部目Ｓ２が混在する。
【００７８】
なお、上記実施形態のインクジェット印刷装置１において、第１の印刷ジョブがオフセット排紙ではなく、割り込み処理である第２の印刷ジョブがオフセット排紙である場合には、制御部６０は、第２の印刷ジョブの入力を受け付けた時点で第１の印刷ジョブを一旦停止させ、オフセット動作をさせた後、第２の印刷ジョブの印刷処理を開始する。そして、第２の印刷ジョブの印刷処理が終了した後、第１の印刷ジョブの印刷処理およびオフセット排紙を再開する。
【００７９】
また、第１〜第３の実施形態において、割り込み処理の印刷ジョブをオフセット排紙する場合のオフセット量と通常の印刷ジョブのオフセット排紙する場合のオフセット量とを変えるようにしてもよい。
【００８０】
また、上記実施形態は、本発明の印刷装置をインクジェット印刷装置に適用した例であるが、これに限らず、たとえば感光体を有する、レーザ方式の印刷装置や孔版印刷装置にも適用可能である。
【００８１】
本発明の印刷装置に関し、さらに以下の付記を開示する。
（付記）
【００８２】
本発明の第２の印刷装置は、印刷媒体に対して印刷処理を施す印刷処理部と、印刷処理部によって印刷処理の施された印刷物を、単位セット毎に位置をずらしながら排紙するオフセット排紙を行うオフセット排紙部と、入力された印刷ジョブに基づいて、印刷処理部およびオフセット排紙部を制御する制御部とを備え、制御部が、第１の印刷ジョブの印刷処理およびオフセット排紙を行っている途中において、第２の印刷ジョブの割り込み処理の入力を受け付けた際、第２の印刷ジョブが奇数部数であって、第１の印刷ジョブの単位セットの印刷途中において第２の印刷ジョブの印刷処理を開始した場合には、第２の印刷ジョブの印刷処理およびオフセット排紙を行った後、そのまま継続して第１の印刷ジョブの残りの印刷処理およびオフセット排紙を行い、第２の印刷ジョブが偶数部数であって、第１の印刷ジョブの単位セットの印刷途中において第２の印刷ジョブの印刷処理を開始した場合には、第２の印刷ジョブの印刷処理およびオフセット排紙を終了した後、第１の印刷ジョブの印刷処理を一旦停止し、第２の印刷ジョブの印刷物が取り除かれた後、第１の印刷ジョブの残りの印刷処理およびオフセット排紙を行い、第２の印刷ジョブが奇数部数であって、第１の印刷ジョブの単位セットと単位セットの間の区切り期間において第２の印刷ジョブの印刷処理を開始した場合には、第２の印刷ジョブの印刷処理およびオフセット排紙を終了した後、第１の印刷ジョブの印刷処理を一旦停止し、第２の印刷ジョブの印刷物が取り除かれた後、第１の印刷ジョブの残りの印刷処理およびオフセット排紙を行い、第２の印刷ジョブが偶数部数であって、第１の印刷ジョブの単位セットと単位セットの間の区切り期間において第２の印刷ジョブの印刷処理を開始した場合には、第２の印刷ジョブの印刷処理およびオフセット排紙を行った後、そのまま継続して第１の印刷ジョブの残りの印刷処理およびオフセット排紙を行う。
【００８３】
本発明の第３の印刷装置は、印刷媒体に対して印刷処理を施す印刷処理部と、印刷処理部によって印刷処理の施された印刷物を、単位セット毎に位置をずらしながら排紙するオフセット排紙を行うオフセット排紙部と、入力された印刷ジョブに基づいて、印刷処理部およびオフセット排紙部を制御する制御部とを備え、制御部が、第１の印刷ジョブの印刷処理およびオフセット排紙を行っている途中において第２の印刷ジョブの割り込み処理の入力を受け付けた際、第１の印刷ジョブの単位セットと単位セットの間の区切り期間において第２の印刷ジョブの割り込み処理の入力を受け付けた場合には、単位セットと単位セットの間の区切り期間において第２の印刷ジョブの印刷処理を開始せず、第２の印刷ジョブの割り込み処理の入力を受け付けた後の第１の印刷ジョブの単位セットの印刷途中において、第２の印刷ジョブの印刷処理を開始する。
【符号の説明】
【００８４】
１  インクジェット印刷装置
２  印刷ジョブ出力装置
１０  サイド給紙部
１１  給紙台
１２  １次給紙部
１４  ２次給紙部
２０  内部給紙部
２１ａ  給紙台
２１ｂ  給紙台
２１ｃ  給紙台
２１ｄ  給紙台
２２ａ  １次給紙部
２２ｂ  １次給紙部
２２ｃ  １次給紙部
２２ｄ  １次給紙部
３０  印刷処理部
３１  ヘッドユニット
４０  排紙部
４５  排紙台
４８  排紙ローラ
４９  切り替え機構
５０  反転部
５１  反転台
５２  反転ローラ
５３  搬送ローラ
６０  制御部
８０  表示部
９０  制御部
１００  筐体
１３３  搬送ベルト
ＣＲ  循環搬送路
ＦＲ  給紙搬送路
Ｐ  印刷用紙
Ｐ１  第１の印刷物
Ｐ２  第２の印刷物
Ｐ３  第３の印刷物
【図１】
2020104284.tif 000003
【図２】
2020104284.tif 000004
【図３】
2020104284.tif 000005
【図４】
2020104284.tif 000006
【図５】
2020104284.tif 000007
【図６】
2020104284.tif 000008
【図７】
2020104284.tif 000009
【図８】
2020104284.tif 000010
【図９】
2020104284.tif 000011
【図１０】
2020104284.tif 000012
【図１１】
2020104284.tif 000013